(57)【特許請求の範囲】
【請求項１】
パチンコ球が転動する底面と、底面より垂直状に立ち上がり並列的に配設されて複数のレーンを形成する立ち上がり壁と、底面の最終端部に立設された側壁とを有し、パチンコ機設置島内にてパチンコ球を誘導するパチンコ球誘導樋において、
前記レーンの各底面にパチンコ球の流下方向に向かって末広がり状に開放するＶ字状の切欠溝を設けるとともに、この切欠き溝につなげてパチンコ球の落下口を底面終端部に設け、かつ前記側壁には平板状の異物の排出口を設けたうえに、
立ち上がり壁の高さを、Ｖ字状の切欠溝を徐々に沈みながら転動するパチンコ球の中心と略同一状態を維持し続ける高さに設定して、先へ行くほど低くなる立ち上がり壁を、落下口に達したパチンコ球が下方に落下する地点まで形成したことを特徴とするパチンコ球誘導樋。
【発明の詳細な説明】
【０００１】
【発明の属する技術分野】
本発明は、パチンコ機設置島内においてパチンコ球を誘導するためのパチンコ球誘導樋に関するものである。
【０００２】
【従来の技術】
パチンコ店には、予め定められた台数のパチンコ機が並列的に配設されたパチンコ機設置島が複数配列されているが、このパチンコ機設置島には、遊技者が遊技を行うに必要な景品球を各パチンコ機に補給するパチンコ球供給装置が配設されている。
【０００３】
上記パチンコ球供給装置においては、各パチンコ機からそれぞれ排出されたアウト球は誘導樋によって一旦集められて、その後、パチンコ設置島の下部に設けられたアウト球貯留タンクに回収される。アウト球貯留タンクに回収されたアウト球は、例えば研磨機で研磨した後に、揚送手段によりパチンコ機の上部に備えられている景品球貯留タンクに景品球として揚送され、景品球はこの景品球貯留タンクから分配通路を介して各パチンコ機に補給されている。
【０００４】
ところで、最近のパチンコ球の貸し出しはプリペイドカード等により貸し出すことが多くなってきており、これに伴いパチンコ機とＣＲ（カード読取り）機用カードユニットとの僅かな隙間や、パチンコ機を開放した時に生ずる隙間から、ＣＲ機用カード等の平板状の異物が入り込む事故が多くなってきた。このような平板状の異物がパチンコ機設置島内に配設されたパチンコ球誘導樋上に乗り上げてしまうと、パチンコ球がスムーズに流下しなかったり、時にはパチンコ球の流れを完全に停止させてしまい、パチンコ球の払出しに支障を来すという問題があった。
【０００５】
【発明が解決しようとする課題】
本発明は上記した従来の問題点を解決し、ＣＲ機用カード等の平板状の異物がパチンコ機設置島内に入り込んだ時にも、平板状の異物を外部に排出できて、パチンコ球の流速を変えたり停止させたりすることのないパチンコ球誘導樋を提供するためになされたものである。
【０００６】
【課題を解決するための手段】
上記の課題を解決するためになされた本発明のパチンコ球誘導樋は、パチンコ球が転動する底面と、底面より垂直状に立ち上がり並列的に配設されて複数のレーンを形成する立ち上がり壁と、底面の最終端部に立設された側壁とを有し、パチンコ機設置島内にてパチンコ球を誘導するパチンコ球誘導樋において、
前記レーンの各底面にパチンコ球の流下方向に向かって末広がり状に開放するＶ字状の切欠溝を設けるとともに、この切欠き溝につなげてパチンコ球の落下口を底面終端部に設け、かつ前記側壁には平板状の異物の排出口を設けたうえに、
立ち上がり壁の高さを、Ｖ字状の切欠溝を徐々に沈みながら転動するパチンコ球の中心と略同一状態を維持し続ける高さに設定して、先へ行くほど低くなる立ち上がり壁を、落下口に達したパチンコ球が下方に落下する地点まで形成したことを特徴とするものである。
【０００７】
【０００８】
【作用】
本発明のパチンコ球誘導樋は、底面より垂直状に立ち上げた立ち上がり壁の高さをパチンコ球の半径と略同一に設定したことによりＣＲ機用カード等の平板状の異物がパチンコ機設置島内に入り込んでパチンコ球誘導樋上に乗り上げた場合にも、この平板状の異物を流下する球の中心付近で押圧して誘導樋の外側に押し出すことができるので、球がスムーズに流れなかったり、流れが停止されたりすることがない。
【０００９】
【発明の実施の形態】
以下に図面を参照しつつ本発明の好ましい実施形態を示す。
図１、２は本発明のパチンコ機の誘導樋を示す図であって、外形は、長さ、幅とも１０数cm、高さ数cmのボックス形状のものである。図において１は底面、２は底面１より垂直状に立ち上がり並列的に複数配設された立ち上がり壁であって、この立ち上がり壁２によって底面１が複数のレーン、図では１０レーンに分割されている。また、底面１は球が流下するように、図では右側から左側にかけて低く傾斜させてあるので誘導樋に集められた球は各レーンを右から左へ流下することとなる。また、底面１にはパチンコ球の流下方向に向かって末広がり状に開放されたＶ字状の切欠溝３が設けられており、球に付着しているゴミなどを転動中に底面１の下方に落下できるようになっている。底面１の下方には抜き差し可能で上面が開放されたゴミ受けボックス（図示していない）が挿着されており、ゴミが所定量堆積した場合にはこのボックスを取り外してゴミを外部に適宜に排出することができる。
【００１０】
立ち上がり壁２同士の幅は略球一個分が楽に流下できる程度の幅であり、高さは球の半径と略同一に設定されている。（なお、球の半径と略同一の高さとは球の中心を通る水平線±１ｍｍの範囲内とする。）そして、その立ち上がり壁２の終端部底面は開放されて球が下方に落下可能なパチンコ球の落下口４が設けられている。また、立ち上がり壁２の最終端部はパチンコ球の流下方向の前方に立設された側壁５まで延設されていて、側壁５には平板状の異物を排出するために排出口６が設けられている。この排出口６の大きさは、パチンコ球が数珠つなぎ状で誘導樋を流下する場合や、あるいはばらばらで誘導樋を流下する場合の何れにおいても、平板状の異物を排出できる大きさに設けられている。
【００１１】
誘導樋の右方から流入してきたパチンコ球は左に流下するに連れて底面１に形成されたＶ字状の切欠溝３の間に沈みこんでいって、落下口４に達した時に下方に落下する。ここで、誘導樋を幾つかのレーンに分割する立ち上がり壁２の高さは、Ｖ字状の切欠溝３の間に沈みこんながら流下する球の高さに合わせて、丁度球の半分の高さとなるように、上端が湾曲されて、先へ行くほど低くなるように形成してある。
【００１２】
本発明に係るパチンコ球の誘導樋に平板状の異物が紛れ込んだ時に、平板状の異物が誘導樋の外に排出される状況を図３〜７により説明する。各図において、左側の（ａ）図は誘導樋をあるレーンに平行に切断した時の断面図であり、右側の（ｂ）図はあるレーンを正面方向からみた断面図である。各レーンの両サイドには高さが略球の半径である立ち上がり壁２が底面から垂直状に立設されている。
【００１３】
図３においては、平板状の異物７が紛れ込んでいて、複数の立ち上がり壁２の上に跨がって乗っている。誘導樋に集められて流下するパチンコ球の前方には、この平板状の異物７が存在することになるが、立ち上がり壁２の高さは球の略半分としてあるので、平板状の異物７をパチンコ球の中心部分で押し出すことができる。即ち、立ち上がり壁２の高さがパチンコ球の略半分に満たない場合や、略半分を大きく超えてしまうような場合には球の中心付近で平板状の異物７を押すことができず、押出力が弱くなってスムーズに平板状の異物７を外の排出することができない。従って、立ち上がり壁２の高さをパチンコ球の略半分とする必要がある。
【００１４】
また、上記したように立ち上がり壁２の高さは、Ｖ字状の切欠溝３の間に沈みこみながら流下する球の高さに合わせて丁度球の半分の高さとなるように、上端が湾曲されて先へ行くほど低くなるように形成してあるから、先へ行くほど立ち上がり壁２の傾斜はきついものとなっている。従って、平板状の異物７は先へ行くほど小さい押出力で移動することができるので、図３〜７に示すように、その異物をパチンコ球により順次側壁５方向に移動させて排出口６から外部に排出することができる。
【００１５】
【発明の効果】
以上に説明したように、本発明のパチンコ球誘導樋は、底面より垂直状に立ち上げた立ち上がり壁の高さをパチンコ球の半径と略同一に設定したためにＣＲ機用カード等の平板状の異物がパチンコ機設置島内に入り込んでパチンコ球誘導樋上に乗り上げた場合にも、この平板状の異物を流下する球の中心付近で押圧して誘導樋の外側に押し出すことができるので、球がスムーズに流れなかったり、流れが停止されたりすることがない。また、立ち上がり壁の高さを、Ｖ字状の切欠溝を徐々に沈みながら流下する球の半分の高さとしたことにより、先へ行くほど立ち上がり壁の傾斜をきつくすることができて、小さい押圧力でもってスムーズに平板状の異物を誘導樋の外側に押し出すことができる。従って、パチンコ店側は平板状の異物を取り除く作業を行う必要がなく、また、遊技者は遊技を中断されることなく弾球を続行して遊技を楽しむことができる。さらに、底面に球の流下方向に向かって末広がり状に開放するＶ字状の切欠溝を設けたことにより球と同時に運び込まれたゴミを下方に排除することができる利点がある。
【図面の簡単な説明】
【図１】  本発明のパチンコ球の誘導樋の平面図である。
【図２】  本発明のパチンコ球の誘導樋の断面図である。
【図３】  Ｖ字状の切欠溝に沈む寸前の球が平板状の異物を押している状態を示す断面図である。
【図４】  Ｖ字状の切欠溝に球が沈み込みながら平板状の異物を押している状態を示す断面図である。
【図５】  図４の状態よりさらに平板状の異物が押し出された状態を示す断面図である。
【図６】  図５の状態よりさらに平板状の異物が押し出された状態を示す断面図である。
【図７】  平板状の異物が殆ど外部に押し出された状態を示す断面図である。
【符号の説明】
１  底面
２  立ち上がり壁
３  Ｖ字状の切欠溝
４  球の落下口
５  側壁
６  排出口
７  平板状の異物
【図１】
0003673178.tif 000002
【図２】
0003673178.tif 000003
【図３】
0003673178.tif 000004
【図４】
0003673178.tif 000005
【図５】
0003673178.tif 000006
【図６】
0003673178.tif 000007
【図７】
0003673178.tif 000008